(57)【要約】本発明は、電話の第一端末（Ｔ１）からＩＰネットワークに接続されている第二端末（Ｔ２）に向けた、マルチメディアの呼び出しを確立する方法に関するものである。本発明によれば、端末（Ｔ１）からサーバー（ＳＭＲ）に、端末（Ｔ２）のための識別子（ＩＤ２）を含む呼び出し要請（ＤＡ）を送信する。関連するサーバー（ＳＭＲ）は、第一番号（ＮＴ）と関連づけられた第二識別子（ＩＤ２）を対応表（ＴＣ）に一時的に保存し、第一端末（Ｔ１）を用いて、第一番号（ＮＴ）と第二サービス番号（ＮＳ）との間の関連を示すための呼び出しの特徴（ＣＡＲ）を備える、呼び出し確立リンク（ＰＥＡ）に達する番号（ＮＳ）の着信（ＡＥ）の伝送を引き起こす。呼び出し確立リンク（ＰＥＡ）は、関係設定サーバー（ＳＭＲ）に特徴（ＣＡＲ）を通報し、該サーバーは、端末（Ｔ１、Ｔ２）の間に呼び出しを確立するために、対応表（ＴＣ）において着信（ＡＥ）の特徴（ＣＡＲ）の通報（ＳＡＥ）に対応する第一番号（ＮＴ）に関連づけられている呼び出しの第二識別子（ＩＤ２）を識別する。【選択図】図１【特許請求の範囲】
【請求項１】
第一端末から第二端末の呼び出しを確立するための、
・第一端末（Ｔ１）から関連設定サーバー（ＳＭＲ）に、第二端末（Ｔ２）のための所定の呼び出しの第二識別子（ＩＤ２）を含む、呼び出し要請（ＤＡ）を送信し、
・呼び出し要請（ＤＡ）の受信において、関連するサーバー（ＳＭＲ）は、呼び出し要請に（ＤＡ）基づいて決定された第一番号（ＮＴ）と関連づけられた呼び出しの第二識別子（ＩＤ２）を対応表（ＴＣ）に一時的に保存し、それによって、
・第一端末（Ｔ１）によって、呼び出し確立リンク（ＰＥＡ）に達する所定のサービスの第二番号（ＮＳ）からの着信（ＡＥ）の伝送が引き起こされ、着信（ＡＥ）は、第一番号（ＮＴ）と第二サービス番号（ＮＳ）との間の関連を示すための呼び出しの特徴（ＣＡＲ）を備えており、
・呼び出し確立リンク（ＰＥＡ）は、少なくとも、受信された着信（ＡＥ）の特徴（ＣＡＲ）を関係設定サーバー（ＳＭＲ）に通報し、該サーバーが決定する呼び出しの第二識別子（ＩＤ２）は、対応表（ＴＣ）において着信（ＡＥ）の特徴（ＣＡＲ）の通報（ＳＡＥ）に対応する第一番号（ＮＴ）に関連づけられており、
・それは、関係設定サーバー（ＳＭＲ）が、このようにして決定された呼び出しの第二識別子（ＩＤ２）に対応する第二端末（Ｔ２）に着信（ＡＥ）を通報するようになされ、それにより、第二端末が、そのようにして通信マルチメディア・チャンネルを着信呼び出しと連絡させている、呼び出し確立リンク（ＰＥＡ）と交信するマルチメディア・チャンネルを確立することを特徴とする、電話の第一端末（Ｔ１）からＩＰネットワークに接続されている第二端末（Ｔ２）に向けた、マルチメディアの呼び出し確立方法。
【請求項２】
第一番号（ＮＴ）とサービスの第二番号（ＮＳ）は電話番号であることを特徴とする、請求項１に記載の呼び出し確立方法。
【請求項３】
第一電話端末（Ｔ１）がＧＰＲＳ携帯電話端末（Ｔ１）であることを特徴とする、請求項１または２のいずれかに記載の呼び出し確立方法。
【請求項４】
第二電話端末（Ｔ１）が、存在管理プロトコルによって関係設定サーバー（ＳＭＲ）に事前に接続されていることを特徴とする、請求項１〜３のいずれか一つに記載の呼び出し確立方法。
【請求項５】
第二の呼び出しの識別子（ＩＤ２）の選定は第一端末（Ｔ１）で行われ、第二の呼び出しの識別子（ＩＤ２）の選定は、第二端末（Ｔ２）の存在が検出され、関係設定サーバー（ＳＭＲ）によって第一端末（Ｔ１）に通報されることによって、第一端末（Ｔ１）で行うことが可能となることを特徴とする、請求項４に記載の呼び出し確立方法。
【請求項６】
対応表（ＴＣ）において第二識別子（ＩＤ２）と関連づけられている第一番号（ＮＴ）は、呼び出し要請（ＤＡ）に含まれる第一端末（Ｔ１）の電話番号（Ｎ１）であり、そして、第一番号（ＮＴ）と第二サービス番号（ＮＳ）との間の関係を示す着信（ＡＥ）の特徴（ＣＡＲ）は、第一端末（Ｔ１）の電話番号（Ｎ１）から発信され、第二サービス番号（ＮＳ）を宛先とする着信（ＡＥ（Ｎ１→ＮＳ））を示すものであることを特徴とする、請求項１〜５のいずれか一つに記載の呼び出し確立方法。
【請求項７】
対応表（ＴＣ）において第二識別子（ＩＤ２）と関連づけられている第一番号（ＮＴ）は、呼び出し要請（ＤＡ）に含まれる第一端末（Ｔ１）の電話番号（Ｎ１）であり、そして、第一番号（ＮＴ）と第二サービス番号（ＮＳ）との間の関係を示す着信の特徴（ＣＡＲ）は、第一端末（Ｔ１）の電話番号に（Ｎ１）由来する着信（ＡＥ（Ｎ１→ＮＳ））を示すことを特徴とする、請求項１〜５のいずれか一つに記載の呼び出し確立方法。
【請求項８】
対応表（ＴＣ）において第二識別子（ＩＤ２）と関連づけられている第一番号（ＮＴ）は、第二サービス番号（ＮＳ）であり、そして、第一番号（ＮＴ）と第二サービス番号（ＮＳ）との間の関係を示す着信（ＡＥ）の特徴（ＣＡＲ）は、第二サービス番号（ＮＳ）を示していることを特徴とする、請求項１〜５のいずれか一つに記載の呼び出し確立方法。
【請求項９】
第一端末（Ｔ１）の電話番号（Ｎ１）は、呼び出し要請（ＤＡ）にも、着信（ＡＥ）にも含まれていないことを特徴とする、請求項８に記載の呼び出し確立方法。
【請求項１０】
第二サービス番号（ＮＳ）は、関係設定サーバー（ＳＭＲ）が事前登録されたサービス番号一覧表（ＬＮＳ）から呼び出し要請（ＤＡ）に使用可能なものが決定され、呼び出しの第二識別子（ＩＤ２）を対応表（ＴＣ）に保存した後に、関係設定サーバー（ＳＭＲ）によって送信される肯定応答（ＡＣＫ）において第一端末（Ｔ１）に伝達することを特徴とする、請求項１〜９のいずれか一つに記載の呼び出し確立方法。
【請求項１１】
着信（ＡＥ）は、確立すべき通信チャンネル（ＣＣ）の他の特徴をも含んでおり、それらはまた、着信（ＡＥ）とともに関係設定サーバー（ＳＭＲ）と第二端末（Ｔ２）に通報されることを特徴とする、請求項１〜１０のいずれか一つに記載の呼び出し確立方法。
【請求項１２】
第一端末（Ｔ１）の第一識別子（ＩＤ１）は、呼び出し要請（ＤＡ）に存在しており、関係設定サーバー（ＳＭＲ）によって、呼び出しの第二識別子（ＩＤ２）および第一番号（ＮＴ）と関連づけられて保存されるものであることを特徴とする、請求項１〜１１のいずれか一つに記載の呼び出し確立方法。
【請求項１３】
識別子（ＩＤ１、ＩＤ２）は、対応する端末（Ｔ１、Ｔ２）の電話番号とは別のものであることを特徴とする、請求項１〜１２のいずれか一つに記載の呼び出し確立方法。
【請求項１４】
第一と第二端末（Ｔ１、Ｔ２）の間に呼び出しを確立するリンク（ＰＥＡ）と、
第一端末（Ｔ１）からの呼び出し要請（ＤＡ）を受信する手段と、呼び出し確立リンク（ＰＥＡ）に達する所定の第二サービス番号（ＮＳ）の着信（ＡＥ）を第一端末（Ｔ１）から送信させるための第一端末（Ｔ１）の制御手段とを有する関係設定サーバー（ＳＭＲ）と、これにおいて着信（ＡＥ）は、第一番号（ＮＴ）と第二サービス番号（ＮＳ）との間の関係を示すための呼び出しの特徴（ＣＡＲ）を有し、
呼び出し要請（ＤＡ）に基いて決定された第一番号（ＮＴ）と関連づけられ、呼び出し要請（ＤＡ）に含まれる、第二端末（Ｔ２）のための呼び出しの第二識別子（ＩＤ２）の保存の対応表（ＴＣ）と、
少なくとも関係設定サーバー（ＳＭＲ）に着信（ＡＥ）の特徴（ＣＡＲ）を通報する第一の手段を備えた呼び出し確立のリンク（ＰＥＡ）と、
対応表（ＴＣ）において、着信（ＡＥ）の特徴（ＣＡＲ）の通報（ＳＡＥ）に対応する第一番号（ＮＴ）に関連づけられた、第二の呼び出しの識別子（ＩＤ２）を決定するための手段と、このようにして決定された第二の呼び出しの識別子（ＩＤ２）に対応する第二端末（Ｔ２）への着信を通報する第二の手段とを備えた関係設定サーバー（ＳＭＲ）と、
第二端末（Ｔ２）と呼び出し確立リンク（ＰＥＡ）との間のマルチメディア通信チャンネルの確立を開始する手段、そして
呼び出し確立リンク（ＰＥＡ）によって、マルチメディア通信チャンネルを着信に連絡させる手段とを備えていることを特徴とする、
請求項１〜１３のいずれか一つに記載の、電話の第一端末（Ｔ１）からＩＰネットワークに接続されている第二端末（Ｔ２）に向けたマルチメディアの呼び出し確立方法を実施する装置。
【発明の詳細な説明】
【技術分野】
【０００１】
本発明は、第一電話端末から、ＩＰネットワークに接続された第二端末に向かってマルチメディアの呼び出しを確立する方法に関するものである。
【背景技術】
【０００２】
そのような方法は、電話網から第二端末に向かっての呼び出しの確立が、例えばＳＩＰ、Ｈ３２３のように、電話の信号をＩＰ信号に変換する、ＩＰ／ＲＴＣリンク（インターネットにはＩＰ、そして交換機を用いる電話網にはＲＴＣ）を介して行われることが既に知られている。つぎに、音声チャンネルは、ＲＴＣ流束で、一方では第二端末とリンクとの間のＲＴＣ流速でポイントからポイントへと、他方では発信側の第一端末とリンクとの間のＲＴＣ流速で確立される（パケット通信網におけるリアルタイムの伝達プロトコル）。
【０００３】
このような既に知られた方法では、呼び出しの第二端末は、第一呼び出し端末からその番号を選択し、呼び出しを確立するために、呼び出しの電話番号を備えている。
【０００４】
したがって、第一端末からそれらの番号を呼び出すには、第二ＩＰ端末に専用の新しい電話番号を割り与えなければならない。
【０００５】
それゆえ、それらのＩＰ端末の新しい電話番号は、電話用に既に存在している電話番号に追加されるものであり、したがって、ＩＰ端末の数と等しい、非常に多数のものを用意しなければならないため、これにより不都合が生じる。
【０００６】
各ＩＰ端末は、それ専用の電話番号を登録しなくてはならないが、それは複雑であり、煩わしいものである。
【０００７】
ＩＰ端末の新しい電話番号は、既存の番号づけ計画に統合されなければならないが、（例えば、現在フランスでは１０桁の数字になっている）番号づけの容量は限られており、考慮に入れなければならない電話番号の数が増大しているため、いっぱいになってしまいかねず、更にはそれらの番号を統合が不可能になりかねない。
【発明の開示】
【発明が解決しようとする課題】
【０００８】
本発明は、呼び出しの第二端末に電話番号を静的に割り当てることなく、電話の第一端末からＩＰネットワークに接続されている第二端末に向けたマルチメディアの呼び出しを確立することができるような方法と装置を提案することによって、現行技術の問題点を克服することを目指すものである。
【課題を解決するための手段】
【０００９】
そのために、本発明の第一の対象は、電話の第一端末からＩＰネットワークに接続されている第二端末に向けた、マルチメディアの呼び出しを確立する方法であり、その第一端末から第二端末の呼び出しを確立するための特徴は以下のとおりである。
【００１０】
・第一端末から関連設定サーバーに、第二端末のための所定の呼び出しの第二識別子を含む、呼び出し要請を送信し、
・呼び出し要請の受信において、関連設定サーバーは、呼び出し要請に基づいて決定された第一番号と関連づけられた呼び出しの第二識別子を対応表に一時的に保存し、それによって、
・第一端末によって、呼び出し確立リンクに達する所定のサービスの第二番号からの着信の伝送が引き起こされ、着信は、第一番号と第二サービス番号との間の関連を示すための呼び出しの特徴を備えており、
・呼び出し確立リンクは、少なくとも、受信された着信の特徴を関係設定サーバーに通報し、該サーバーが決定する呼び出しの第二識別子は、対応表において着信の特徴の通報に対応する第一番号に関連づけられており、
それは、関係設定サーバーが、このようにして決定された呼び出しの第二識別子に対応する第二端末に着信を通報するようになされており、第二端末が、このようにして通信マルチメディア・チャンネルを着信呼び出しとつなぐ呼び出し確立リンクと交信するマルチメディア・チャンネルを確立する。
【００１１】
本発明により、第二端末の識別子、着信の第二サービス番号と第一番号との間に一時的に確立された対応関係によって第二端末の呼び出しを確立することが可能となる。その結果、着信をリンクに通すための呼び出し確立サービスが処理しなければならないサービス番号の数を所定の数に抑えることが、さらには一に等しくすることが可能となり、いずれにせよ、第二端末の数よりもずっと少なくすることが可能となる。したがって、本発明では、第二端末への電話番号の割り当てを、固定的に、体系的に、そして確定的に行わなくてもよいため、そのような第二端末の個数と同数、電話番号をもつ必要もなく、そのような第二端末についてサービスのための登録をする必要がない。
【００１２】
本発明の、非限定的な他の特徴によれば、
・サービスの第一番号と第二番号は電話番号であり、
・第一電話端末は、ＧＰＲＳ携帯電話端末であり、
・第二電話端末は、存在管理プロトコルによって関係設定サーバーに事前に接続してあり、
・第二の呼び出しの識別子の選定は第一端末で行われ、第二の呼び出しの識別子の選定は、第二端末の存在が検出され、関係設定サーバーによって第一端末に通報されることにより、第一端末で行うことが可能となり、
・対応表において第二識別子と関連づけられている第一番号は、呼び出し要請に含まれる第一端末の電話番号であり、そして、第一番号と第二サービス番号との間の関係を示す着信の特徴は、第一端末の電話番号に由来し、第二サービス番号を宛先とする着信を示し、
・または、対応表において第二識別子と関連づけられている第一番号は、呼び出し要請に含まれる第一端末の電話番号であり、そして、第一サービス番号と第二サービス番号との間の関係を示す着信の特徴は、第一端末の電話番号に由来する着信を示し、
・または、対応表において第二識別子と関連づけられている第一番号は、第二サービス番号であり、そして、第一サービス番号と第二サービス番号との間の関係を示す着信の特徴は、第二サービス番号（ＮＳ）を示し、そして例えば第一端末の電話番号は、呼び出し要請にも着信にも含まれておらず、
・または、第二サービス番号は、関係設定サーバーが事前登録されたサービス番号一覧表から呼び出し要請に使用可能なものが決定され、呼び出しの第二識別子を対応表に保存した後に、関係設定サーバーによって送信される肯定応答の第一端末に伝達され、
・着信は、確立すべき通信チャンネルの他の特徴をも含んでおり、それらはまた、着信とともに関係設定サーバーと第二端末に通報され、
・第一端末の第一識別子は、呼び出し要請に存在しており、関係設定サーバーによって、呼び出しの第二識別子および第一番号と関連づけられて保存されるものであり、
・識別子は、対応する端末の電話番号とは別のものである。
【００１３】
本発明の第二の目的は、上述したような、第一電話端末からＩＰネットワークに接続されている第二端末に向けてマルチメディアの呼び出し確立方法を実施する装置であり、その特徴は、
第一と第二端末の間に呼び出しを確立するリンクと、
第一端末からの呼び出し要請を受信する手段と、呼び出し確立リンクに達する所定の第二サービス番号の着信を第一端末から送信させるための第一端末の制御手段とを有する関係設定サーバーと、これにおいて着信は、第一サービス番号と第二サービス番号との間の関係を示すための呼び出しの特徴を有するものであり、
呼び出し要請に基いて決定された第一番号と関連づけられ、呼び出し要請に含まれる、第二端末のための呼び出しの第二識別子の保存の対応表と、
少なくとも関係設定サーバーに着信の特徴を通報する第一の手段を備えた呼び出し確立のリンクと、
対応表において、着信の特徴の通報に対応する第一番号に関連づけられた、第二の呼び出しの識別子を決定するための手段と、このようにして決定された第二の呼び出しの識別子に対応する第二端末への着信を通報する第二の手段とを備えた関係設定サーバーと、
第二端末と呼び出し確立リンクとの間のマルチメディア通信チャンネルの確立を開始する手段と、そして
呼び出し確立リンクで、マルチメディア通信チャンネルと着信とをつなげる手段を備えていることを特徴とするものである。
【発明を実施するための最良の形態】
【００１４】
本発明は、添付図面を参照しつつ以下の説明を読むことで理解が深まるものであるが、説明は例示的なのものであり、限定する趣旨のものではない。
【００１５】
・図１は、本発明の呼び出し確立方法を活用する装置の概略的に示した図である。
【００１６】
・図２は、呼び出す側にルーティングを作用させる、図１の装置の第一の実施態様を概略的に示した図である。
【００１７】
・図３は、呼び出される側についてルーティングを作用させる、図１の装置の第二の実施態様を概略的に示した図である。
【００１８】
図においては、第一ユーザーが自身の第一電話端末Ｔ１から、インターネットのようなＩＰネットワークに接続されている第二ユーザーの、第二遠隔端末Ｔ２への呼び出しを確立しようとしている。以下の説明では、第一端末Ｔ１は、典型的には、ＧＰＲＳ携帯電話端末であるが、対応する電話通信網と交信する固定電話端末であってもよい。第二遠隔端末Ｔ２は例えば、ＩＰネットワークに接続された固定式または携帯用のコンピューターであり、以後、これをＩＰ端末とする。
【００１９】
ＧＰＲＳ携帯端末Ｔ１のユーザーと第二ＩＰ端末とに共通の、関係を設定するインフラストラクチャーは、呼び出しの前に、動的なルーティング定義を設定し、それにより、ＲＴＣ／ＩＰリンクのような、第一端末と第二端末との間のリンクへの着信に呼び出されているユーザーを近づけることができるようにするために用意される。
【００２０】
この種のインフラストラクチャーの典型として考えられるのは、インスタント・メッセージで用いられるような、ＩＰ主体の存在管理インフラストラクチャーである。
【００２１】
第二端末Ｔ２は、関係設定インフラストラクチャーにおいて、所定の第二識別子ＩＤ２によって識別され、例えば典型的には電話番号とは別のものであり、また、例えば、第二ユーザーの氏名から取った名・姓＠ドメイン．ｆｒのような第二端末Ｔ２のメッセージ・アドレスで構成されている。したがって、識別子ＩＤ２によって、第一ユーザーたちによる第二ユーザーたちの識別は、電話番号よりは、匿名性が低くなりうる。
【００２２】
図においては、この関係設定インフラストラクチャーは、一つまたは複数の関係設定サーバーＳＭＲ含んでおり、以後、これを総称して関係設定サーバーＳＭＲとし、対応表ＴＣについて後述することにする。
【００２３】
このような関係設定インフラストラクチャーの共有により、第一と第二ユーザーは同一の識別空間に共存することができ、第一端末Ｔ１は、関係設定サーバーＳＭＲとコンタクトする手段を有し、関係設定サーバーＳＭＲは、第二端末Ｔ２とコンタクトする手段を有する。第一端末Ｔ１からサーバーＳＭＲへの通信には、ＧＰＲＳ電話網が用いられており、それはＧＰＲＳ相互接続とインターネットであり、それは逆方向の通信においては逆である。サーバーＳＭＲと第二端末Ｔ２との双方向の通信には、インターネットが用いられる。例えば、第二端末Ｔ２は、例えば自分のＩＰアドレスと第二端末Ｔ２が接続可能なポートとを通知することによって、第二ユーザー主導で、または常時接続による第二端末Ｔ２の起動の際に自動的に関係設定サーバーＳＭＲに事前に信号を通報し、そして接続される。サービスへの接続は、第二端末Ｔ２において展開されるクライアント・アプリケーションと第一端末Ｔ１に搭載されたアプリケーションを介して行われ、アプリケーションで用いられるＩＰ接続は、サーバーＳＭＲとのつながりを確立するためのものである。典型的には、この種のアーキテクチャーを構成するものの基礎として考えられるのは、存在管理プロトコルＸＭＰＰ（存在およびメッセージ伝送のプロトコルつまり英語ではｅｘｔｅｎｓｉｂｌｅ  ｍｅｓｓａｇｉｎｇ  ａｎｄ  ｐｒｅｓｅｎｃｅ  ｐｒｏｔｏｃｏｌ）、ＳＩＭＰＬＥ（インスタント・メッセージと存在管理を可能にする拡張用のセッション確立プロトコル（ＳＩＰ）つまり英語ではＳＩＰ  ｆｏｒ  ｉｎｓｔａｎｔ  ｍｅｓｓａｇｉｎｇ  ａｎｄ  ｐｒｅｓｅｎｃｅ  ｌｅｖｅｒａｇｉｎｇ  ｅｘｔｅｎｓｉｏｎｓ）またはＷｉｒｅｌｅｓｓ  Ｖｉｌｌａｇｅ（商標登録出願中）と互換性のある要素である。例えば、関係設定インフラストラクチャーにより、そのような第一と第二ユーザーは、それぞれ自分のための連絡先または呼び出しの宛先の一覧表（「友人リスト」）を構成することができ、第一端末Ｔ１には、ＩＰネットワークにおいて第二端末Ｔ２の存在が通知され、そして第二端末Ｔ２には携帯電話網において、第一端末Ｔ１の存在が通知されることになる。
【００２４】
手順１において、呼び出しを開始し、本発明で活用されるサービスとサーバーＳＭＲに接続するには、第一ユーザーが自分の第一端末Ｔ１において第二識別子ＩＤ２を選択し、そして自分の第一端末Ｔ１を制御し、そこから通信プロトコルによって、関係設定サーバーＳＭＲに第二識別子ＩＤ２を含む呼び出し申し込みまたは呼び出し申請ＤＡを送信するようにする。このためには、例えば、第二識別子ＩＤ２を認識しているため、第一ユーザーは自身で第二識別子を構成するものであり、または第一端末Ｔ１に搭載されているアプリケーションが、第一ユーザーに関係設定インフラストラクチャー内にある第二端末Ｔ２の第二識別子ＩＤ２から、第二ユーザーの呼び出しを提案することを可能にするものであり、それは例えば、端末Ｔ１に保存された自分の連絡先一覧から、サーバーＳＭＲによって存在することが既に検出されている端末Ｔ２を選択することを提案することによって可能になる。
【００２５】
手順２においては、関係設定サーバーＳＭＲが呼び出し要請ＤＡを受信する度に、要請に含まれる呼び出し識別子ＩＤ２に、第一電話番号ＮＴを関連づけ、関連づけを対応する表ＴＣに、更に、場合によっては、受信されるであろう呼び出しの他の特徴と共に一時的に保存する。サーバーＳＭＲによって受信された呼び出し要請ＤＡのそれぞれについては、第一電話番号ＮＴは、一時的に、そして動的に、呼び出し要請ＤＡにおいて決定される。それゆえ、第一番号ＮＴの識別子ＩＤ２への割り当ては、静的に確定的に行われているのではなく、手順８でそのような第一端末Ｔ１と第二端末Ｔ２の通信とが設定されるまでの、例えば呼び出しを確立する段階が丁度終わるまでの間だけ行わかれる。したがって、識別子ＩＤ２と第一番号ＮＴとの間の関連づけは、対応表に動的に記録される。
【００２６】
図２の第一の実施態様においては、呼び出し要請ＤＡには、それを送信する第一端末の呼び出しの電話番号Ｎ１と呼び出しの識別子ＩＤ２が含まれる。この場合、第一電話番号ＮＴは、呼び出し要請ＤＡを送信した第一端末の呼び出しの電話番号Ｎ１である。
【００２７】
図３の第二の実施態様においては、呼び出し要請ＤＡには、呼び出し要請ＤＡを送信する第一端末の呼び出しの電話番号Ｎ１ではなく、呼び出される第二識別子ＩＤ２が含まれる。この場合、第一電話番号ＮＴは、識別子ＩＤ２を有する、呼び出し要請ＤＡのためにサーバーＳＭＲに決定された第二サービス番号ＮＳである。このサービス番号ＮＳは、例えば、待機中の呼び出し要請のためにサーバーＳＭＲに保存された、サービス番号で決定されるリストＬＮＳ（ｐｏｏｌ）から、サーバーＳＭＲが決定し、識別子ＩＤ２をもつ呼び出し要請ＤＡに割り当てられる。それゆえ、このようなサービス番号ＮＳは、サーバーＳＭＲに呼び出し要請が到着するにしたがって、任意の識別子ＩＤ２に割り当てられる。
【００２８】
つぎに、手順３においては、関連づけＩＤ２−ＮＴを対応表ＴＣに保存した後に、関係設定サーバーＳＭＲは、呼び出し要請を送信した第一端末Ｔ１のところで、メッセージまたは対応する信号ＡＣＫを送ることで、呼び出し要請ＤＡを実行する。
【００２９】
この第一端末Ｔ１における肯定応答の受信は、この端末からの第二サービス番号ＮＳの、例えば、肯定応答において第一端末Ｔ１に伝達された着信ＡＥの送信を、手順４を通じて自動的に制御する。この第二サービス番号は、事前に電話網に設置されたルーティング定義によって、第一端末Ｔ１と第二端末Ｔ２との間の呼び出し確立リンクＰＥＡに達する。この着信ＡＥは、第一端末Ｔ１の第一ユーザーにとって明白なものである。
【００３０】
着信は、電話網と信号ＳＳ７によってリンクＰＥＡに届く。この着信ＡＥは、第一サービス番号ＮＴとその第二サービス番号ＮＳとの間の関係をサーバーＳＭＲに示す特徴ＣＡＲを有する。この特徴ＣＡＲは、第一番号ＮＴにより、対応表ＴＣに示されたものから関連づけ（ＩＤ２、ＮＴ）の後での選択を実施することを可能にする情報である。
【００３１】
呼び出し端末Ｔ１と呼び出し端末の電話番号Ｎ１に基づいて呼び出しのルーティングが実施される、第一の実施態様においては、第二サービス番号ＮＳは、それゆえ第一番号ＮＴ＝Ｎ１とは異なる。このサービス番号ＮＳは、例えば、待機中の呼び出し要請のためのサーバーＳＭＲに保存された、サービス番号で決定されるリストＬＮＳ（ｐｏｏｌ）から、サーバーＳＭＲによって決定される。それゆえ、着信ＡＥの特徴ＣＡＲは、例えば電話番号Ｎ１を有する第一端末Ｔ１から第二サービス番号ＮＳの呼び出しを示すためのＡＥ（Ｎ１→ＮＳ）から成るものである。
【００３２】
一般的には、第二サービス番号ＮＳまたはサービス番号のリストＬＮＳは、事前にサービス事業者が電話番号の割り当て権限者のところに用意され、また、サービス番号がサービス専用のリンクＰＥＡに向かって導かれるよう、適切なルーティング定義が固定電話または携帯電話のネットワークに設置される。
【００３３】
第二の実施態様においては、呼び出しルーティングは、着信ＡＥの呼び出し番号ＮＳに基づいて実施され、それゆえ第二サービス番号ＮＳは、対応表ＴＣにおいて識別子ＩＤ２に関連づけられた第一番号ＮＴに等しい。それゆえ、着信ＡＥの特徴ＣＡＲは、例えば、着信にある第二サービス番号ＮＳの唯一の記載ＡＥ（ＮＳ）にあるものであり、それは、つまりは、第一番号ＮＴと第二サービス番号ＮＳとの関係はＮＴ＝ＮＳであり、そして第一端末Ｔ１の電話番号Ｎ１が、着信ＡＥに伝送される必要はないということを示すものである。
【００３４】
第二サービス番号ＮＳの着信ＡＥがリンクＰＥＡに受信された際には、リンクＰＥＡは、手順５において、その着信を宛先であるＩＰ端末に後に接続される待機中の着信として記憶し、その着信ＡＥを、例えばインターネットでサーバーＳＭＲに通報する。この通報ＳＡＥは、つまりは、第二サービス番号ＮＳと特徴ＣＡＲである、着信ＡＥに含まれるデータを伝送するものであり、それはつまり、第一の実施態様では、伝送されるデータが、第一端末Ｔ１の電話番号Ｎ１と第二サービス番号ＮＳとを含んでおり、そして第二の実施態様においては、伝送されるデータが、第二サービス番号ＮＳのみを含んでいるということである。通報ＳＡＥもまた、第一の実施態様においては、第一端末Ｔ１の電話番号Ｎ１のみを含むようにすることも考えられる。
【００３５】
サーバーＳＭＲが着信ＡＥの通報ＳＡＥを受信した際には、サーバーＳＭＲは、この通報から着信ＡＥの特徴ＣＡＲを抽出し、ＣＡＲとＴＣに応じて、この対応表ＴＣにおいて関連づけられた呼び出し識別子を決定するために、
対応表ＴＣの記録について問い合わせる。したがって、サーバーＳＭＲは、対応表ＴＣにおいて、着信ＡＥの特徴ＣＡＲの通報ＳＡＥに対応する第一番号ＮＴに関連づけられた、呼び出しの第二識別子ＩＤ２を決定する。
【００３６】
第一の実施態様においては、サーバーＳＭＲは、通報された特徴ＣＡＲ＝ＡＥ（Ｎ１→ＮＳ）またはＣＡＲ（Ｎ１）を対応表ＴＣの記録と比較し、その通報された特徴ＣＡＲ＝ＡＥ（Ｎ１→ＮＳ）またはＣＡＲ（Ｎ１）に基づいて、対応表ＴＣ中の記録（ＩＤ２、Ｎ１）を選択し、そこから、この記録（ＩＤ２、Ｎ１）中の通報された特徴ＣＡＲ中の番号Ｎ１に関連づけられたＴ２の第二識別子ＩＤ２を分けるものであるが、これにおいて呼び出し番号Ｎ１は、サーバーＳＭＲの対応表ＴＣにおける記録（ＩＤ２、Ｎ１）の選択を可能にする判別要素である。
【００３７】
第二の実施態様においては、サーバーＳＭＲは、通報された特徴ＣＡＲ＝ＡＥ（ＮＳ）を対応表ＴＣの記録と比較し、その通報された特徴ＣＡＲ＝ＡＥ（ＮＳ）に基づいて、対応表ＴＣ中で記録（ＩＤ２、ＮＳ）を選択し、そこから、この記録（ＩＤ２、ＮＳ）中の、通報された特徴ＣＡＲ中の第二サービス番号ＮＳに関連づけられたＴ２の第二識別子ＩＤ２を分けるが、これにおいてサービス番号ＮＳは、対応表ＴＣにおける記録（ＩＤ２、ＮＳ）の選択を可能にする判別要素である。
【００３８】
呼び出しの第二識別子ＩＤ２がこのように決定されると、関係設定サーバーＳＭＲは、つぎに、手順６において、着信ＡＥ（着信の通知）をこの呼び出しの第二識別子ＩＤ２に対応する第二端末Ｔ２に通報する。この着信ＡＥの通報ＳＡＥ２はインターネットにより、第二端末Ｔ２に送信される。
【００３９】
次いで、通報ＳＡＥ２を受信した第二端末Ｔ２は、手順７において、音声および／または画像、そして例えばＩＰにおける音声（ＶｏＩＰ）のようなマルチメディア通信チャンネルＣＣを、インターネットによるリンクＰＥＡと共に確立する。この通信チャンネルＣＣは、例えば、手順４での着信ＡＥに由来し、通報ＳＡＥに再伝送され、通報ＳＡＥ２において第二端末Ｔ２に供給される他の特徴に基づいて確立される。これらの他の特徴は、例えば、割り当てられたＩＰにおける音声チャンネルの特徴に関するものである。いうまでもなく、端末Ｔ２において、第二ユーザーが、呼び出しを確立することを拒絶することも予想されうることであり、それにより、手順７および８の実行が妨げられる。
【００４０】
最後に、以下の手順８においてリンクＰＥＡは、第二端末Ｔ２で確立された通信チャンネルＣＣを、第二サービス番号ＮＳの対応する、自身が待機中に保存した着信ＡＥにつなぐ。このようにして、呼び出しは、第一端末Ｔ１と第二端末Ｔ２との間で、端から端まで確立される。その場合、第一端末Ｔ１と第二端末Ｔ２は、互いの間でＩＰ／ＲＴＣ変換を確保するリンクＰＥＡによって交信することが可能になり、音響および／または画像のやりとりができるようになる。いうまでもなく、上記の方法は、他の第一端末と他の第二端末との間で活用することもできる。
【００４１】
手順２においては、サーバーＳＭＲはまた、呼び出しの第二識別子ＩＤ２または呼び出しサービスの識別子ＩＤ２と関連づけながら、呼び出しの第一識別子ＩＤ１または呼び出しサービスの識別子ＩＤ１、つまり、呼び出し要請ＤＡにある呼び出しの第一端末Ｔ１の識別子を更に保存することもできる。
【００４２】
例えば、この呼び出しの第一識別子ＩＤ１は、サーバーＳＭＲが、第一端末Ｔ１がサービスに加入しているということを識別するのに、そして、サーバーＳＭＲが、呼び出し要請ＤＡにある第一識別子ＩＤ１が事前にサーバーＳＭＲに記録された加入者のファイルに属していることを確認し、サービスの他の手順の進行を可能にするのに、そして、サーバーＳＭＲが、呼び出し要請ＤＡにある第一識別子ＩＤ１が事前にサーバーＳＭＲに記録された加入者のファイルに属していないことを確認した際に、サービスの他の手順の進行を妨げるのに役立つ。妨げは、例えば、手順３に際して、第一端末Ｔ１に肯定応答ＡＣＫを送信しない形態をとる。手順３に際して、第一端末Ｔ１に肯定応答ＡＣＫを送信しないということは、他の理由によってもサーバーＳＭＲによって引き起こされうるものである。それは、例えば、データ・ベースに、呼び出し要請ＤＡの第一識別子ＩＤ１に対応する信用が、超過または尽きていることを検出することによって、および／または、その時点において着信にすべて割り当てられており、着信ＡＥに用いることができるサービス番号ＮＳが一時的に払底していることを検出することによって、および／または、呼び出し要請ＤＡの第一識別子ＩＤ１がサーバーＳＭＲが管理するブラック・リストにあり、呼び出しを禁止していることを検出することによって引き起こされる。
【００４３】
例えば、呼び出し側の第一識別子ＩＤ１は、第二ユーザーに、第二端末Ｔ２で表示するために、手順６で通報された着信ＡＥにも伝送される。
【００４４】
手順８で呼び出しを確立した後に、第二識別子Ｎ２と第一番号ＮＴの間の関連付け（ＩＤ２、ＮＴ）、並びに場合によっては関連づけられた他の情報も、サーバーＳＭＲによって対応表ＴＣから消去されてもよい。
【図面の簡単な説明】
【００４５】
【図１】本発明の呼び出し確立方法を活用する装置を概略的に示した図。
【図２】呼び出す側にルーティングを作用させる、図１の装置の第一の実施態様を概略的に示した図。
【図３】呼び出される側についてルーティングを作用させる、図１の装置の第二の実施態様を概略的に示した図。
【符号の説明】
【００４６】
１  手順
【図１】
2007520132.tif 000002
【図２】
2007520132.tif 000003
【図３】
2007520132.tif 000004
【手続補正書】
【提出日】平成19年4月5日(2007.4.5)
【手続補正１】
【補正対象書類名】特許請求の範囲
【補正対象項目名】全文
【補正方法】変更
【補正の内容】
【特許請求の範囲】
【請求項１】
第一端末から第二端末の呼び出しを確立するための、
・第一端末（Ｔ１）から関連設定サーバー（ＳＭＲ）に、第二端末（Ｔ２）のための所定の呼び出しの第二識別子（ＩＤ２）を含む、呼び出し要請（ＤＡ）を送信し、
・呼び出し要請（ＤＡ）の受信において、関連するサーバー（ＳＭＲ）は、呼び出し要請に（ＤＡ）基づいて決定された第一番号（ＮＴ）と関連づけられた呼び出しの第二識別子（ＩＤ２）を対応表（ＴＣ）に一時的に保存し、それによって、
・第一端末（Ｔ１）によって、呼び出し確立リンク（ＰＥＡ）に達する所定のサービスの第二番号（ＮＳ）からの着信（ＡＥ）の伝送が引き起こされ、着信（ＡＥ）は、第一番号（ＮＴ）と第二サービス番号（ＮＳ）との間の関連を示すための呼び出しの特徴（ＣＡＲ）を備えており、
・呼び出し確立リンク（ＰＥＡ）は、少なくとも、受信された着信（ＡＥ）の特徴（ＣＡＲ）を関係設定サーバー（ＳＭＲ）に通報し、該サーバーが決定する呼び出しの第二識別子（ＩＤ２）は、対応表（ＴＣ）において着信（ＡＥ）の特徴（ＣＡＲ）の通報（ＳＡＥ）に対応する第一番号（ＮＴ）に関連づけられており、
・それは、関係設定サーバー（ＳＭＲ）が、このようにして決定された呼び出しの第二識別子（ＩＤ２）に対応する第二端末（Ｔ２）に着信（ＡＥ）を通報するようになされ、それにより、第二端末が、そのようにして通信マルチメディア・チャンネルを着信呼び出しと連絡させている、呼び出し確立リンク（ＰＥＡ）と交信するマルチメディア・チャンネルを確立することを特徴とする、電話の第一端末（Ｔ１）からＩＰネットワークに接続されている第二端末（Ｔ２）に向けた、マルチメディアの呼び出し確立方法。
【請求項２】
第一番号（ＮＴ）とサービスの第二番号（ＮＳ）は電話番号であることを特徴とする、請求項１に記載の呼び出し確立方法。
【請求項３】
第一電話端末（Ｔ１）がＧＰＲＳ携帯電話端末（Ｔ１）であることを特徴とする、請求項１または２のいずれかに記載の呼び出し確立方法。
【請求項４】
第二電話端末（Ｔ１）が、存在管理プロトコルによって関係設定サーバー（ＳＭＲ）に事前に接続されていることを特徴とする、請求項１〜３のいずれか一つに記載の呼び出し確立方法。
【請求項５】
第二の呼び出しの識別子（ＩＤ２）の選定は第一端末（Ｔ１）で行われ、第二の呼び出しの識別子（ＩＤ２）の選定は、第二端末（Ｔ２）の存在が検出され、関係設定サーバー（ＳＭＲ）によって第一端末（Ｔ１）に通報されることによって、第一端末（Ｔ１）で行うことが可能となることを特徴とする、請求項４に記載の呼び出し確立方法。
【請求項６】
対応表（ＴＣ）において第二識別子（ＩＤ２）と関連づけられている第一番号（ＮＴ）は、呼び出し要請（ＤＡ）に含まれる第一端末（Ｔ１）の電話番号（Ｎ１）であり、そして、第一番号（ＮＴ）と第二サービス番号（ＮＳ）との間の関係を示す着信（ＡＥ）の特徴（ＣＡＲ）は、第一端末（Ｔ１）の電話番号（Ｎ１）から発信され、第二サービス番号（ＮＳ）を宛先とする着信（ＡＥ（Ｎ１→ＮＳ））を示すものであることを特徴とする、請求項１〜５のいずれか一つに記載の呼び出し確立方法。
【請求項７】
対応表（ＴＣ）において第二識別子（ＩＤ２）と関連づけられている第一番号（ＮＴ）は、呼び出し要請（ＤＡ）に含まれる第一端末（Ｔ１）の電話番号（Ｎ１）であり、そして、第一番号（ＮＴ）と第二サービス番号（ＮＳ）との間の関係を示す着信の特徴（ＣＡＲ）は、第一端末（Ｔ１）の電話番号に（Ｎ１）由来する着信（ＡＥ（Ｎ１→ＮＳ））を示すことを特徴とする、請求項１〜５のいずれか一つに記載の呼び出し確立方法。
【請求項８】
対応表（ＴＣ）において第二識別子（ＩＤ２）と関連づけられている第一番号（ＮＴ）は、第二サービス番号（ＮＳ）であり、そして、第一番号（ＮＴ）と第二サービス番号（ＮＳ）との間の関係を示す着信（ＡＥ）の特徴（ＣＡＲ）は、第二サービス番号（ＮＳ）を示していることを特徴とする、請求項１〜５のいずれか一つに記載の呼び出し確立方法。
【請求項９】
第一端末（Ｔ１）の電話番号（Ｎ１）は、呼び出し要請（ＤＡ）にも、着信（ＡＥ）にも含まれていないことを特徴とする、請求項８に記載の呼び出し確立方法。
【請求項１０】
第二サービス番号（ＮＳ）は、関係設定サーバー（ＳＭＲ）が事前登録されたサービス番号一覧表（ＬＮＳ）から呼び出し要請（ＤＡ）に使用可能なものが決定され、呼び出しの第二識別子（ＩＤ２）を対応表（ＴＣ）に保存した後に、関係設定サーバー（ＳＭＲ）によって送信される肯定応答（ＡＣＫ）において第一端末（Ｔ１）に伝達することを特徴とする、請求項１〜９のいずれか一つに記載の呼び出し確立方法。
【請求項１１】
着信（ＡＥ）は、確立すべき通信チャンネル（ＣＣ）の他の特徴をも含んでおり、それらはまた、着信（ＡＥ）とともに関係設定サーバー（ＳＭＲ）と第二端末（Ｔ２）に通報されることを特徴とする、請求項１〜１０のいずれか一つに記載の呼び出し確立方法。
【請求項１２】
第一端末（Ｔ１）の第一識別子（ＩＤ１）は、呼び出し要請（ＤＡ）に存在しており、関係設定サーバー（ＳＭＲ）によって、呼び出しの第二識別子（ＩＤ２）および第一番号（ＮＴ）と関連づけられて保存されるものであることを特徴とする、請求項１〜１１のいずれか一つに記載の呼び出し確立方法。
【請求項１３】
識別子（ＩＤ１、ＩＤ２）は、対応する端末（Ｔ１、Ｔ２）の電話番号とは別のものであることを特徴とする、請求項１〜１２のいずれか一つに記載の呼び出し確立方法。
【請求項１４】
第一と第二端末（Ｔ１、Ｔ２）の間に呼び出しを確立するリンク（ＰＥＡ）と、
第一端末（Ｔ１）からの呼び出し要請（ＤＡ）を受信する手段と、呼び出し確立リンク（ＰＥＡ）に達する所定の第二サービス番号（ＮＳ）の着信（ＡＥ）を第一端末（Ｔ１）から送信させるための第一端末（Ｔ１）の制御手段とを有する関係設定サーバー（ＳＭＲ）と、これにおいて着信（ＡＥ）は、第一番号（ＮＴ）と第二サービス番号（ＮＳ）との間の関係を示すための呼び出しの特徴（ＣＡＲ）を有し、
呼び出し要請（ＤＡ）に基いて決定された第一番号（ＮＴ）と関連づけられ、呼び出し要請（ＤＡ）に含まれる、第二端末（Ｔ２）のための呼び出しの第二識別子（ＩＤ２）の保存の対応表（ＴＣ）と、
少なくとも関係設定サーバー（ＳＭＲ）に着信（ＡＥ）の特徴（ＣＡＲ）を通報する第一の手段を備えた呼び出し確立のリンク（ＰＥＡ）と、
対応表（ＴＣ）において、着信（ＡＥ）の特徴（ＣＡＲ）の通報（ＳＡＥ）に対応する第一番号（ＮＴ）に関連づけられた、第二の呼び出しの識別子（ＩＤ２）を決定するための手段と、このようにして決定された第二の呼び出しの識別子（ＩＤ２）に対応する第二端末（Ｔ２）への着信を通報する第二の手段とを備えた関係設定サーバー（ＳＭＲ）と、
第二端末（Ｔ２）と呼び出し確立リンク（ＰＥＡ）との間のマルチメディア通信チャンネルの確立を開始する手段、そして
呼び出し確立リンク（ＰＥＡ）によって、マルチメディア通信チャンネルを着信に連絡させる手段とを備えていることを特徴とする、
請求項１〜１３のいずれか一つに記載の、電話の第一端末（Ｔ１）からＩＰネットワークに接続されている第二端末（Ｔ２）に向けたマルチメディアの呼び出し確立方法を実施する装置。
【請求項１５】
請求項１から１３のいずれか一つに記載の方法を実施するための関連付けサーバーであり、該サーバーは、
・第二端末（Ｔ２）のための所定の呼び出しの第二識別子（ＩＤ２）を含む呼び出し要請（ＤＡ）を第一端末（Ｔ１）から受信するのに適した受信手段と、
・呼び出し要請（ＤＡ）に基づいて決定された第一番号（ＮＴ）と関連づけられた呼び出しの第二識別子（ＩＤ２）を対応表（ＴＣ）に保存するのに適した保存手段と、
・着信（ＡＥ）が、第一番号（ＮＴ）と第二サービス番号（ＮＳ）との間の関連を示すために呼び出しの特徴（ＣＡＲ）を備えている、少なくとも、前記リンクから受信された着信（ＡＥ）の呼び出しの特徴（ＣＡＲ）を、呼び出し確立リンク（ＰＥＡ）から受信するのに適した受信手段と、
・決定される第二識別子（ＩＤ２）に対応する第二端末（Ｔ２）に着信を通報することができるように、対応表（ＴＣ）において着信（ＡＥ）の特徴（ＣＡＲ）の通報（ＳＡＥ）に対応する第一番号（ＮＴ）に関連付けられている、第二識別子（ＩＤ２）を決定するのに適した決定手段、
とを有していることを特徴とする、関連付サーバー。
【請求項１６】
請求項１から１３のいずれか一つに記載の方法を実施するための呼び出し確立リンク（ＰＥＡ）は、
・着信（ＡＥ）が、第一番号（ＮＴ）と第二サービス番号（ＮＳ）との間の関連を示すための呼び出しの特徴（ＣＡＲ）を備えている、決定された第二サービス番号（ＮＳ）の着信（ＡＥ）を第一端末（Ｔ１）から受信するのに適した受信手段と、
・対応表（ＴＣ）において着信（ＡＥ）の特徴（ＣＡＲ）の通報（ＳＡＥ）に対応する第一番号（ＮＴ）に関連付けられている、呼び出しの第二識別子（ＩＤ２）を決定する関連付けサーバー（ＳＭＲ）に、少なくとも着信（ＡＥ）の特徴（ＣＡＲ）を通報するのに適している通報手段、
とを有していることを特徴とする、呼び出し確立リンク。
【請求項１７】
請求項１から１３のいずれか一つに記載の方法を実施するための第二端末と呼ばれる端末（Ｔ２）は、
・第一端末（Ｔ１）から送信された呼び出し着信の通報を受信するのに適した受信手段と、
・マルチメディアチャネルを着信に接続している、呼び出し確立リンク（ＰＥＡ）を用いてマルチメディア通信チャネルを確立するのに適した手段、
とを有していることを特徴とする、第二端末。
【手続補正２】
【補正対象書類名】明細書
【補正対象項目名】００１３
【補正方法】変更
【補正の内容】
【００１３】
本発明の第二の目的は、上述したような、第一電話端末からＩＰネットワークに接続されている第二端末に向けてマルチメディアの呼び出し確立方法を実施する装置であり、その特徴は、
第一と第二端末の間に呼び出しを確立するリンクと、
第一端末からの呼び出し要請を受信する手段と、呼び出し確立リンクに達する所定の第二サービス番号の着信を第一端末から送信させるための第一端末の制御手段とを有する関係設定サーバーと、これにおいて着信は、第一サービス番号と第二サービス番号との間の関係を示すための呼び出しの特徴を有するものであり、
呼び出し要請に基いて決定された第一番号と関連づけられ、呼び出し要請に含まれる、第二端末のための呼び出しの第二識別子の保存の対応表と、
少なくとも関係設定サーバーに着信の特徴を通報する第一の手段を備えた呼び出し確立のリンクと、
対応表において、着信の特徴の通報に対応する第一番号に関連づけられた、第二の呼び出しの識別子を決定するための手段と、このようにして決定された第二の呼び出しの識別子に対応する第二端末への着信を通報する第二の手段とを備えた関係設定サーバーと、
第二端末と呼び出し確立リンクとの間のマルチメディア通信チャンネルの確立を開始する手段と、そして
呼び出し確立リンクで、マルチメディア通信チャンネルと着信とをつなげる手段を備えていることを特徴とするものである。
本発明は、以下に規定されている方法を実施するための関連付けサーバーをも目的としており、該サーバーは、
・第二端末のための所定の呼び出しの第二識別子を含む呼び出し要請を第一端末から受信するのに適した受信手段と、
・呼び出し要請に基づいて決定された第一番号と関連づけられた呼び出しの第二識別子を対応表に保存するのに適した保存手段と、
・着信が、第一番号と第二サービス番号との間の関連を示すために呼び出しの特徴を備えている、少なくとも、前記リンクから受信された着信の呼び出しの特徴を、呼び出し確立リンクから受信するのに適した受信手段と、
・決定される第二識別子に対応する第二端末に着信を通報することができるように、対応表において着信の特徴の通報に対応する第一番号に関連付けられている、第二識別子を決定するのに適した決定手段、
とを有していることを特徴とするものである。
本発明は、以下に規定されている方法を実施するための呼び出し確立リンクをも目的としており、該リンクは、
・着信が、第一番号と第二サービス番号との間の関連を示すための呼び出しの特徴を備えている、決定された第二サービス番号の着信を第一端末から受信するのに適した受信手段と、
・対応表において着信の特徴の通報に対応する第一番号に関連付けられている、呼び出しの第二識別子を決定する関連付けサーバーに、少なくとも着信の特徴を通報するのに適している通報手段、
とを有していることを特徴とするものである。
本発明は、以下に規定されている方法を実施するための第二端末と呼ばれる端末（Ｔ２）をも目的としており、該端末は、
・第一端末（Ｔ１）から送信された呼び出し着信の通報を受信するのに適した受信手段と、
・マルチメディアチャネルを着信に接続している、呼び出し確立リンク（ＰＥＡ）を用いてマルチメディア通信チャネルを確立するのに適した手段、
とを有していることを特徴とするものである。
【国際調査報告】
2007520132.tif 000005
2007520132.tif 000006
2007520132.tif 000007
2007520132.tif 000008
2007520132.tif 000009
2007520132.tif 000010